(57)【要約】      （修正有）【課題】、再利用性にすぐれていて、環境に優しく、何回も巻き付けてはがすことができる、特に、病院やクリーンルームのように高い清潔度が要求される環境において使用する際、粉塵、ほこり、その他の微小汚物を捕獲しないスパイラル被覆材を提供する。【解決手段】両縁部沿いに凹凸嵌め込み継ぎ手を設けて、被覆対象物Ａのまわりに巻き付ける際、各巻きが前記凹凸嵌め込み継ぎ手によってその巻きに隣り合う前後の両巻きとつなぎ合わせられるスパイラル被覆材１である。【選択図】図３
0003139006.tif 000002
【実用新案登録請求の範囲】
【請求項１】
被覆対象物Ａのまわりに巻き付ける該スパイラル被覆材１において、該スパイラル被覆材１の隣り合う巻き９、１０の縁部をつなぎ合わせることができるように、前記縁部に凹凸嵌め込み継ぎ手２、３を設けていることを特徴とするスパイラル被覆材である。
【請求項２】
両縁部の間にジャバラ４を成形してなることを特徴とする前項（１）記載のスパイラル被覆材である。
【請求項３】
両縁部の間に、被覆対象物Ａの一部の外への引き出し、外からの引き込みができるように穴５をあけてなることを特徴とする前項（１）及び（２）記載のスパイラル被覆材である。
【請求項４】
両縁部の間に、被覆対象物Ａの一部の外への引き出し、外からの引き込み用の穴があけられるように切り目６を入れてなることを特徴とする前項（１）及び（２）記載のスパイラル被覆材である。
【請求項５】
両縁部、又は、片側の縁部に、被覆対象物Ａの一部の外への引き出し、外からの引き込みができるように切り抜き部７を設けてなることを特徴とする前項（１）及び（２）記載のスパイラル被覆材である。
【請求項６】
両縁部、又は、片側の縁部に、被覆対象物Ａの一部の外への引き出し、外からの引き込み用の切り抜き部があけられるように切り目８を入れてなることを特徴とする前項（１）及び（２）記載のスパイラル被覆材である。
【考案の詳細な説明】
【技術分野】
【０００１】本考案は、電線や配管類などに何回も簡単に、かつ迅速に巻き付けてはがすことができるように両縁部沿いに凹凸嵌め込み継ぎ手を設けたスパイラル被覆材に関するものである。
【背景技術】
【０００２】従来、電線、ケーブル、チューブ、ホース等の被覆材として粘着テープが多く使用されている。
【考案の開示】
【考案が解決しようとする課題】
【０００３】しかしながら、前記の粘着テープは一回しか使用できず、再利用性が極めて低い特徴の他、粘着物質を表面に塗布しているから、巻き付け時、及び、使用時に粉塵、ほこり、その他の微小汚物を捕獲しやすい問題点を有している。【０００４】そこで、再利用性にすぐれていて、環境に優しく、何回も巻き付けてはがすことができる、特に、病院やクリーンルームのように高い清潔度が要求される環境において使用する際、粉塵、ほこり、その他の微小汚物を捕獲しない被覆材が望まれている。
【課題を解決するための手段】
【０００５】本考案は、従来の問題点を解決するために両縁部沿いに凹凸嵌め込み継ぎ手を設けて、被覆対象物のまわりに巻き付ける際、各巻きが前記凹凸嵌め込み継ぎ手によってその巻きに隣接した前後の両巻きとつなぎ合わせられるスパイラル被覆材を提供しようとするものであり、その解決手段は以下に記載するとおりである。
すなわち、
（１）被覆対象物Ａのまわりに巻き付ける該スパイラル被覆材１において、該スパイラル被覆材１の隣り合う巻き９、１０の縁部をつなぎ合わせることができるように、前記縁部に凹凸嵌め込み継ぎ手２、３を設けていることを特徴とするスパイラル被覆材である。
（２）両縁部の間にジャバラ４を成形してなることを特徴とする前項（１）記載のスパイラル被覆材である。
（３）両縁部の間に、被覆対象物Ａの一部の外への引き出し、外からの引き込みができるように穴５をあけてなることを特徴とする前項（１）及び（２）記載のスパイラル被覆材である。
（４）両縁部の間に、被覆対象物Ａの一部の外への引き出し、外からの引き込み用の穴があけられるように切り目６を入れてなることを特徴とする前項（１）及び（２）記載のスパイラル被覆材である。
（５）両縁部、又は、片側の縁部に、被覆対象物Ａの一部の外への引き出し、外からの引き込みができるように切り抜き部７を設けてなることを特徴とする前項（１）及び（２）記載のスパイラル被覆材である。
（６）両縁部、又は、片側の縁部に、被覆対象物Ａの一部の外への引き出し、外からの引き込み用の切り抜き部があけられるように切り目８を入れてなることを特徴とする前項（１）及び（２）記載のスパイラル被覆材である。
【考案の効果】本考案は、以上のように構成されているので、次に記載する効果を呈する。【０００６】両縁部沿いに凹凸嵌め込み継ぎ手を設け、該凹凸嵌め込み継ぎ手で隣り合う巻きを連続的につなぎ合わせることで本被覆材を被覆対象物のまわりに容易に、かつ迅速に巻き付けることができる。【０００７】粘着物質を一切使用しないので、被覆対象物のまわりでの巻き付け時、及び、使用時、ほこり、粉塵、粉末等の汚物がつきにくく、特に病院やクリーンルームのように高い清潔度が要求される環境において使用できる。【０００８】粘着物質を一切使用しないので、被覆対象物への前記粘着物質の転写が起こらず、該スパイラル被覆材を外した後、被覆対象物に残った前記粘着物質の除去作業が不要である。【０００９】粘着物質を一切使用しないので、被覆した状態で被覆対象物と接着することなく、被覆対象物における異常な応力発生や変形を防止できる。【００１０】該スパイラル被覆材を巻き付け始める際、らせんの直径を最小必要値より幾らでも大きく設定できるので、後で被覆対象物が更に追加されることに備えることができる。
【考案を実施するための最良の形態】
【００１１】図１に示すように、本体は軟質で平坦なテープ材で成形され、両縁部沿いに本体と同じ又は異なる材料で成形された凹凸嵌め込み継ぎ手２、３を有するスパイラル被覆材１を被覆対象物Ａのまわりにらせん状に巻き付ける際、隣り合う巻の縁部を凹凸嵌め込み継ぎ手２、３でつなぎ合わせていく。【００１２】前記テープ状材は平坦であるが、これに限定するものではなく、図２に示すように、両縁部の間にジャバラ４などを成形して、形状を変えても良い。このジャバラ４などを設けることにより巻き付けた状態でのスパイラル被覆材１はより曲がりやすくなり、被覆対象物Ａを拘束しなくなる。【００１３】図３に示すように、テープの両縁部の間に穴５を予めあけると、該スパイラル被覆材１を被覆対象物Ａのまわりに巻き付ける際、電線や配管Ｂの外への引き出し、外からの引き込みができるようになる。【００１４】又、図３に示すように、穴をあけられるように切り目６を入れても良く、該スパイラル被覆材１を被覆対象物Ａのまわりに巻き付ける際、該切り目６に沿って切り抜くことにより、電線や配管Ｂの外への引き出し、外からの引き込みができるようになる。【００１５】又、図３に示すように、穴の他に両縁部、又は、片側の縁部に、切り抜き部７を予め設けると、該スパイラル被覆材１を被覆対象物Ａのまわりに巻き付ける際、電線や配管Ｂの外への引き出し、外からの引き込みができるようになる。【００１６】更に、図３に示すように、切り抜き部を切り抜けるように切り目８を予め入れても良く、該スパイラル被覆材１を被覆対象物Ａのまわりに巻き付ける際、該切り目８に沿って切り抜くことにより、電線や配管Ｂの外への引き出し、外からの引き込みができるようになる。【００１７】以上のようにしてなる両側沿いに凹凸嵌め込み縁部を設けた該スパイラル被覆材を電線や配管等の被覆対象物Ａに巻き付ける作業例を図４において説明する。凹凸嵌め込み継ぎ手の凸部２が外向き、凹凸嵌め込み継ぎ手の凹部３が内向きになるように、該スパイラル被覆材を被覆対象物Ａに当てて前巻き９を作って、左手Ｃで保持する。該スパイラル被覆材を右手Ｄに持って、次巻き１０の凹凸嵌め込み継ぎ手の凹部３と前巻き９の凹凸嵌め込み継ぎ手の凸部２とを連続的につなぎ合わせていく。
【図面の簡単な説明】
【００１８】
【図１】該凹凸嵌め込み継ぎ手式スパイラル被覆材を直線的な被覆対象物に巻き付ける仕組みを示した図である。
【図２】該凹凸嵌め込み継ぎ手式スパイラル被覆材を曲線的な被覆対象物に巻き付ける仕組みを示した図である。
【図３】配管等の引き込み、引き出し用の穴、切り欠き部やそれをあけるための切り目を持つ該凹凸嵌め込み継ぎ手式スパイラル被覆材を直線的な被覆対象物に巻き付ける仕組みを示した図である。
【図４】該凹凸嵌め込み継ぎ手式スパイラル被覆材を手で巻き付ける例を示した図である。
【符号の説明】
【００１９】１    凹凸嵌め込み継ぎ手式スパイラル被覆材
２    凹凸嵌め込み継ぎ手の凸部
３    凹凸嵌め込み継ぎ手の凹部
４    ジャバラ
５    穴
６    切り目
７    切り抜き部
８    切り目
９    前巻き
１０  次巻き
Ａ    被覆対象物
Ｂ    配管
Ｃ    左手
Ｄ    右手
【図１】
0003139006.tif 000003
【図２】
0003139006.tif 000004
【図３】
0003139006.tif 000005
【図４】
0003139006.tif 000006